(57)【特許請求の範囲】
【請求項１】
バッテリの上面から突出しているバッテリポストに取り付けられるバッテリーターミナルであって、
金属板材を略円弧状に曲げ加工して形成され、前記バッテリの上面に当接した状態で前記バッテリポストの外周を包囲する弧状保持部と、
前記弧状保持部の周方向における両端縁から延出した概ね平板状をなす一対の締付部とを備え、
前記一対の締付部を接近させることで、前記弧状保持部が前記バッテリポストを導通可能に保持するようになっているバッテリーターミナルにおいて、
前記弧状保持部の上縁が、高低差を有する高い縁部と低い縁部とを周方向に並べて構成され、
前記高い縁部が、前記弧状保持部の周方向における端部に配され、
前記弧状保持部を前記バッテリの上面に当接した状態において、前記高い縁部は前記バッテリポストの上端とほぼ同じ高さに位置し、前記低い縁部は前記バッテリポストの上端よりも低い高さに位置しており、
前記弧状保持部を前記バッテリの上面に当接させて前記バッテリポストに正しく取り付けられた状態では、前記低い縁部において前記バッテリポストの上端部が目視可能に露出するようになっていることを特徴とするバッテリーターミナル。
【請求項２】
前記弧状保持部の下縁には、その下縁に高低差を生じさせる形態の段差部が形成されており、
前記高い縁部の周方向における両端部のうち前記締付部から遠い側の端部と前記低い縁部との境界から、前記弧状保持部の軸線と平行に仮想境界線を延ばしたときに、この仮想境界線上に前記段差部が位置していることを特徴とする請求項１記載のバッテリーターミナル。
【請求項３】
前記段差部は、前記弧状保持部の下縁を局部的に凹ませた形態とされていることを特徴とする請求項２記載のバッテリーターミナル。
【請求項４】
前記弧状保持部の周方向の端部には、前記締付部との境界となる折り目が、前記弧状保持部の軸線と平行な仮想軸線に対して斜め方向に形成され、
前記締付部における前記弧状保持部との境界部の上縁には、前記折り目の上端に連なる切欠部が形成され、
前記高い縁部の周方向における両端部のうち前記締付部に近い側の端部が、前記切欠部に臨む位置に配されていることを特徴とする請求項１ないし請求項３のいずれか１項に記載のバッテリーターミナル。
【請求項５】
前記一対の締付部を接近させる手段として、前記一対の締付部における互いに非対向となる外面を押圧する押圧部を備えた締付け部材が設けられ、
前記弧状保持部と前記締付部との境界には、前記弧状保持部の軸線と平行な仮想軸線に対して傾斜した折り目が形成され、
前記押圧部は、その外周縁の一部を前記折り目に接近して沿わせた状態で前記締付部の外面を押圧するようになっていることを特徴とする請求項１ないし請求項４のいずれか１項に記載のバッテリーターミナル。
【発明の詳細な説明】
【技術分野】
【０００１】
本発明は、バッテリーターミナルに関するものである。
【背景技術】
【０００２】
特許文献１には、バッテリの上面から突出しているバッテリポストに取り付けられるバッテリーターミナルとして、金属板材を曲げ加工して形成された弧状保持部と、弧状保持部の周方向における両端縁から延出した平板状をなす一対の締付部とを備えたものが開示されている。バッテリーターミナルをバッテリポストに接続する際には、弧状保持部をバッテリポストに被せ、ボルトとナットなどの締結部材により一対の締付部を接近させることにより、弧状保持部を縮径変形させてバッテリポストに密着させる。
【０００３】
この種のバッテリーターミナルでは、正しい取付け形態として、作業マニュアル上、バッテリの上面に弧状保持部の下縁を当接させることが定められており、さらに、弧状保持部をバッテリに当接させたことを確認する手段として、バッテリポストの上端部を、弧状保持部の上縁から所定寸法だけ露出させて目視できるようにしている。
【先行技術文献】
【特許文献】
【０００４】
【特許文献１】特開２００３−２７２６０６号公報
【発明の概要】
【発明が解決しようとする課題】
【０００５】
バッテリポストの上端部を弧状保持部の上縁から突出させるためには、弧状保持部の高さ寸法を低く抑える必要があるが、そうすると、弧状保持部とバッテリポストとの接触面積が小さくなるため、バッテリポストに対する保持力の低下が懸念される。
【０００６】
本発明は上記のような事情に基づいて完成されたものであって、バッテリポストに対する保持力の向上を図ることを目的とする。
【課題を解決するための手段】
【０００７】
上記の目的を達成するための手段として、請求項１の発明は、バッテリの上面から突出しているバッテリポストに取り付けられるバッテリーターミナルであって、金属板材を略円弧状に曲げ加工して形成され、前記バッテリの上面に当接した状態で前記バッテリポストの外周を包囲する弧状保持部と、前記弧状保持部の周方向における両端縁から延出した概ね平板状をなす一対の締付部とを備え、前記一対の締付部を接近させることで、前記弧状保持部が前記バッテリポストを導通可能に保持するようになっているバッテリーターミナルにおいて、前記弧状保持部の上縁が、高低差を有する高い縁部と低い縁部とを周方向に並べて構成され、前記高い縁部が、前記弧状保持部の周方向における端部に配され、前記弧状保持部を前記バッテリの上面に当接した状態において、前記高い縁部は前記バッテリポストの上端とほぼ同じ高さに位置し、前記低い縁部は前記バッテリポストの上端よりも低い高さに位置しており、前記弧状保持部を前記バッテリの上面に当接させて前記バッテリポストに正しく取り付けられた状態では、前記低い縁部において前記バッテリポストの上端部が目視可能に露出するようになっているところに特徴を有する。
【０００８】
請求項２の発明は、請求項１に記載のものにおいて、前記弧状保持部の下縁には、その下縁に高低差を生じさせる形態の段差部が形成されており、前記高い縁部の周方向における両端部のうち前記締付部から遠い側の端部と前記低い縁部との境界から、前記弧状保持部の軸線と平行に仮想境界線を延ばしたときに、この仮想境界線上に前記段差部が位置しているところに特徴を有する。
【０００９】
請求項３の発明は、請求項２に記載のものにおいて、前記段差部は、前記弧状保持部の下縁を局部的に凹ませた形態とされているところに特徴を有する。
【００１０】
請求項４の発明は、請求項１ないし請求項３のいずれかに記載のものにおいて、前記弧状保持部の周方向の端部には、前記締付部との境界となる折り目が、前記弧状保持部の軸線と平行な仮想軸線に対して斜め方向に形成され、前記締付部における前記弧状保持部との境界部の上縁には、前記折り目の上端に連なる切欠部が形成され、前記高い縁部の周方向における両端部のうち前記締付部に近い側の端部が、前記切欠部に臨む位置に配されているところに特徴を有する。
【００１１】
請求項５の発明は、請求項１ないし請求項４のいずれかに記載のものにおいて、前記一対の締付部を接近させる手段として、前記一対の締付部における互いに非対向となる外面を押圧する押圧部を備えた締付け部材が設けられ、前記弧状保持部と前記締付部との境界には、前記弧状保持部の軸線と平行な仮想軸線に対して傾斜した折り目が形成され、前記押圧部は、その外周縁の一部を前記折り目に接近して沿わせた状態で前記締付部の外面を押圧するようになっているところに特徴を有する。
【発明の効果】
【００１２】
＜請求項１の発明＞
弧状保持部をバッテリの上面に当接させて、バッテリーターミナルをバッテリポストに正しく取り付けた状態では、弧状保持部の上縁のうち低い縁部においてはバッテリポストの上端部が露出するので、作業者は、この露出状態を目視することにより、バッテリーターミナルが正しく取り付けられていることを確認できる。
【００１３】
また、弧状保持部のうち高い縁部と対応する領域は、低い縁部と対応する領域に比べるとバッテリポストとの接触面積が大きくなっている。そして、締付部を接近させて弧状保持部を縮径変形させたときには、バッテリポストへの押圧力が弧状保持部の端部において高くなるという点に着目し、接触面積の大きい高い縁部を弧状保持部の端部に配置している。これにより、バッテリポストに対する弧状保持部の保持力が高められている。
【００１４】
＜請求項２の発明＞
一対の締付部を接近させたときに、弧状保持部の縮径変形の仕方は、段差部からバッテリポストの軸線方向に延ばした仮想境界線を境として異なる。つまり、仮想境界線よりも締付部から遠い中央側の領域では、バッテリポストに対する弧状保持部の密着度が低いのに対し、仮想境界線よりも締付部に近い端部側の領域では、バッテリポストに対する弧状保持部の密着度が高い。
【００１５】
この点に着目し、本発明では、高い縁部の周方向における両端部のうち締付部から遠い側の端部を、仮想境界線と対応するように位置させ、仮想境界線を境とする弧状保持部の変形形態が、より明確に異なるようにした。これにより、仮想境界線よりも端部側の領域では、バッテリポストに対する弧状保持部の密着度がより高まるだけでなく、仮想境界線の近傍においても弧状保持部がバッテリポストに対して確実に密着するので、弧状保持部とバッテリポストとの間の接触面積が拡大し、弧状保持部は高い保持力を発揮する。
【００１６】
＜請求項３の発明＞
弧状保持部の下縁のうち低い縁部と対応する領域の全体を切欠することによって段差部を形成した場合には、弧状保持部の下縁のうちバッテリの上面に当接する領域が狭くなるので、弧状保持部の姿勢が不安定になることが懸念される。その点、本発明では、段差部が、弧状保持部の下縁を局部的に凹ませた形態となっているので、弧状保持部の下縁のうち低い縁部と対応する領域の一部も、バッテリの上面に当接することになる。これにより、バッテリの上面と弧状保持部の下縁との当接範囲が広くなるので、弧状保持部の姿勢が安定する。
【００１７】
＜請求項４の発明＞
高い縁部の端部が切欠部に臨むように位置しているので、高い縁部の端部が切欠部から離れて位置しているものに比べると、切欠部の底縁の高さを高く設定できる。切欠部の底縁を高くするということは、弧状保持部の軸線方向における締付部の高さ寸法を大きくできることを意味するので、締付部の強度向上を図ることができる。
【００１８】
＜請求項５の発明＞
弧状保持部と締付部との境界に形成されている折り目は、弧状保持部の軸線と平行な仮想軸線に対して傾斜しているので、弧状保持部の軸線と平行な折り目に比べると、締付部の外面の面積は傾斜している分だけ大きい。本発明では、この点に着目し、締付け部材は、押圧部の外周縁の一部を折り目に接近して沿わせることにより、折り目に沿った領域を含む広い範囲に亘って締付部の外面に押圧させるようにしているので、弧状保持部を縮径変形させる際に、締付部に変形が生じ難い。これにより、締付け部材による締付力が、締付部を介して効果的に弧状保持部に作用するので、弧状保持部を確実に縮径変形させることができる。
【図面の簡単な説明】
【００１９】
【図１】実施形態１のバッテリーターミナルをバッテリポストに取り付けた状態をあらわす正面図
【図２】バッテリーターミナルをバッテリポストに取り付けた状態をあらわす平面図
【図３】バッテリーターミナルをバッテリポストに取り付けた状態をあらわす左側面図
【図４】バッテリーターミナルの正面図
【図５】バッテリーターミナルの平面図
【図６】バッテリーターミナルの背面図
【図７】バッテリーターミナルの底面図
【図８】バッテリーターミナルの左側面図
【発明を実施するための形態】
【００２０】
＜実施形態１＞
以下、本発明を具体化した実施形態１を図１乃至図８を参照して説明する。本実施形態のバッテリーターミナルＴは、バッテリＢの上面から突出しているバッテリポストＰに取り付けられるものであり、ターミナル本体１０と接続ポスト２３と締付け部材２５とを備えて構成されている。
【００２１】
ターミナル本体１０は、所定形状の金属板材を曲げ加工したものであり、弧状保持部１１と、前後一対の締付部１２Ｆ，１２Ｒと、台座部１６とが一体に形成されている。弧状保持部１１は、軸線を上下方向に向けた概ね円筒状をなし、図５に示すように、弧状保持部１１の平面形状は左方へ開いた略円弧形をなしている。弧状保持部１１の径寸法（曲率半径）は、上端において最小であり、下端において最大となる。つまり、弧状保持部１１は、全体として上方に向かって次第に縮径したテーパ状をなしている。この弧状保持部１１のテーパの形態は、テーパ状をなすバッテリポストＰの形状に合わせたものであり、弧状保持部１１は、バッテリポストＰに対しその外周を包囲するように取り付けられるようになっている。
【００２２】
弧状保持部１１の周方向における両端部には、その両端縁から平板状に延出した形態の前後一対の締付部１２Ｆ，１２Ｒが連なっている。両締付部１２Ｆ，１２Ｒは互いに平行をなし、両締付部１２Ｆ，１２Ｒには、その板面と直角に貫通した形態の貫通孔１３Ｆ，１３Ｒが形成されている。両貫通孔１３Ｆ，１３Ｒの貫通方向（即ち、両締付部１２Ｆ，１２Ｒの対向方向）は、水平な向き（前後方向）ではなく、水平方向（即ち、弧状保持部１１を縮径変形又は拡径変形させたときに、弧状保持部１１の両端部が接近又は離間する方向）に対して斜め方向となっている。即ち、前側の第１締付部１２Ｆの外面（後側の第２締付部１２Ｒと対向せずに前方に臨む面）は、斜め上前方を向いており、第２締付部１２Ｒの外面（第１締付部１２Ｆと対向せずに後方に臨む面）は、斜め下後方を向いている。
【００２３】
このように一対の締付部１２Ｆ，１２Ｒは、弧状保持部１１の両端部の接近・離間方向に対して斜めをなしている。したがって、第１締付部１２Ｆと弧状保持部１１との境界となる第１折り目１４Ｆは、弧状保持部１１の軸線と平行な第１仮想軸線１５Ｆに対して斜め方向となっている。即ち、第１折り目１４Ｆは、図４に示すように、前方から視たときに上縁から下縁に向かって斜め右方へ延びている。また、第２締付部１２Ｒと弧状保持部１１との境界となる第２折り目１４Ｒも、弧状保持部１１の軸線と平行な第２仮想軸線１５Ｒに対して斜め方向となっている。即ち、第２折り目１４Ｒは、図６に示すように、後方から視たときに上縁から下縁に向かって斜め右方へ延びている。また、左方（図８と同じ方向）から視たときには、第１折り目１４Ｆと第２折り目１４Ｒは、互いにほぼ平行をなしている。
【００２４】
このように両折り目１４Ｆ，１４Ｒが斜め方向となっているので、弧状保持部１１の前側の端部においては、図１及び図４に示すように、周方向におけるバッテリポストＰへの密着領域が、弧状保持部１１の下縁から上縁に向かって次第に拡大し、弧状保持部１１の後側の端部においては、図６に示すように、周方向におけるバッテリポストＰへの密着領域が、弧状保持部１１の上縁から下縁に向かって次第に拡大する。
【００２５】
台座部１６は、弧状保持部１１の下縁の周方向における中央部分に連なっており、台座部１６の内部には、接続ポスト２３の基端部（図示省略）が回転規制された状態で収容されている。接続ポスト２３は、軸線を弧状保持部１１の軸線と平行に向けた雄ネジ部２４を有し、その雄ネジ部２４が台座部１６から上方へ突出している。この接続ポスト２３には、電線の端末部に固着した接続端子（図示省略）や、バスバーの接続端部（図示省略）などの導電路の端末部が導通可能に取り付けられるようになっている。これにより、導電路がバッテリーターミナルＴを介してバッテリポストＰに導通可能に接続される。
【００２６】
弧状保持部１１の上縁は、高低差を有する高い縁部（以下、第１高縁部１７Ｆという）と低い縁部１８とを周方向に並べて構成されている。第１高縁部１７Ｆは、図４に示すように、弧状保持部１１の周方向における一方（前面側）の端部に位置しており、それ以外の領域は低い縁部１８となっている。上縁の周方向における全領域のうち、低い縁部１８が占めるのは約半周分の領域である。第１高縁部１７Ｆの周方向の長さは、低い縁部１８よりも短く、弧状保持部１１の上縁のうち第１高縁部１７Ｆが占めるのは、約１／８周分の領域である。
【００２７】
バッテリーターミナルＴをバッテリポストＰに対して正しい形態で接続した状態では、図２に示すように、弧状保持部１１の軸線がバッテリポストＰの軸線とほぼ同軸状となり、図１及び図３に示すように、弧状保持部１１の下縁がバッテリＢの上面に当接するようになっている。このように弧状保持部１１の下縁がバッテリＢの上面に当接した状態では、第１高縁部１７Ｆが、バッテリポストＰの上端面とほぼ同じ高さとなる。これに対し、低い縁部１８は、バッテリポストＰの上端縁よりも所定寸法だけ低い位置にある。この所定寸法は、作業者が、低い縁部１８から上方へ露出しているバッテリポストＰの上端部を確実に目視し得る程度の寸法とされている。
【００２８】
図４に示すように、弧状保持部１１の下縁には、下縁を局部的に凹ませた形態（切欠した形態）であって、弧状保持部１１の内周と外周に両方に開口された形態をなす第１凹部１９Ｆが形成されている。第１凹部１９Ｆは、周方向において弧状保持部１１の下縁の端部に位置する。第１凹部１９Ｆの切欠領域の正面から視た形状は略方形をなす。第１凹部１９Ｆの周方向における寸法は、第１高縁部１７Ｆの周方向の寸法よりも小さい。
【００２９】
第１凹部１９Ｆの開口縁において上下方向に延びる左右一対の側縁部のうち、周方向において第１締付部１２Ｆに近い側の側縁部は、第１段差部２０Ｆとなっている。そして、この第１段差部２０Ｆは、第１高縁部１７Ｆの周方向における両端部のうち弧状保持部１１の端部（第１締付部１２Ｆ）から遠い側の端部（つまり、低い縁部１８との境界）と対応（整合）するように位置している。つまり、第１高縁部１７Ｆと低い縁部１８との境界から弧状保持部１１の軸線と平行に第１仮想境界線２１Ｆを下方へ真っ直ぐに延ばしたときに、その第１仮想境界線２１Ｆ上に第１段差部２０Ｆが位置する。
【００３０】
弧状保持部１１の上縁と第１締付部１２Ｆの上縁との境界部分には、局部的に切欠した形態の第１切欠部２２Ｆが形成されている。この第１切欠部２２Ｆは、第１締付部１２Ｆを斜めに曲げ加工する際に加工のし易さを意図して形成されたものである。また、上記の第１段差部２０Ｆも、第１締付部１２Ｆの加工のし易さに寄与している。したがって、第１折り目１４Ｆは、第１切欠部２２Ｆと第１段差部２０Ｆとを結ぶように延びている。また、第１切欠部２２Ｆと第１高縁部１７Ｆは、その境界線を共有するように隣接しているので、第１切欠部２２Ｆの底縁の位置が比較的高くても、第１切欠部２２Ｆの底縁と第１高縁部１７Ｆの上縁との高低差が大きく確保されている。
【００３１】
第２締付部１２Ｒの上縁には、弧状保持部１１の上縁に近い側の端部領域を局部的に高くした形態の第２高縁部１７Ｒが形成されている。この第２高縁部１７Ｒは、弧状保持部１１の低い縁部１８よりも高く、第１高縁部１７Ｆとほぼ同じ高さとなっている。また、左右方向において、第２高縁部１７Ｒの形成領域は、第１高縁部１７Ｆとほぼ同じ範囲となっている。この第２高縁部１７Ｒは、第２締付部１２Ｒの加工のし易さに寄与している。したがって、第２折り目１４Ｒは、第２高縁部１７Ｒの上縁における弧状保持部１１との境界から、弧状保持部１１の下縁と第２締付部１２Ｒの下縁との段差状の境界とを結ぶように延びている。同じく第２締付部１２Ｒの上縁には、第２高縁部１７Ｒの左右両端部のうち弧状保持部１１から遠い側の端部に隣接するように第２切欠部２２Ｒが形成されている。
【００３２】
図６に示すように、弧状保持部１１の下縁には、下縁を局部的に凹ませた形態（切欠した形態）であって、弧状保持部１１の内周と外周に両方に開口された形態をなす第２凹部１９Ｒが形成されている。第２凹部１９Ｒは、周方向において弧状保持部１１の下縁の端部よりも中央寄りに位置する。第２凹部１９Ｒの切欠領域の正面から視た形状は、第１凹部１９Ｆと同じく略方形をなす。第２凹部１９Ｒの周方向における寸法は、第１凹部１９Ｆと同じ寸法である。
【００３３】
第２凹部１９Ｒの開口縁において上下方向に延びる左右一対の側縁部のうち、周方向において第２締付部１２Ｒに近い側の側縁部は、第２段差部２０Ｒとなっている。そして、この第２段差部２０Ｒは、第２高縁部１７Ｒの左右両端部のうち弧状保持部１１との境界となる端部と対応（整合）するように位置している。つまり、第２高縁部１７Ｒと弧状保持部１１との境界から弧状保持部１１の軸線と平行に第２仮想境界線２１Ｒを下方へ真っ直ぐに延ばしたときに、その第２仮想境界線２１Ｒ上に第２段差部２０Ｒが位置する。
【００３４】
かかるターミナル本体１０には、弧状保持部１１を縮径変形させてバッテリポストＰの外周に固着する手段として、締付け部材２５が取り付けられている。取付け部材は、ボルト２６と座金２９とナット３２とから構成されている。ボルト２６は、その雄ネジ状の軸部２７を後方から両締付部１２Ｆ，１２Ｒの両貫通孔１３Ｆ，１３Ｒに貫通され、頭部２８を第２締付部１２Ｒの上縁の第２ストッパ３３Ｒに係止させることにより、両締付部１２Ｆ，１２Ｒに対して回転規制されている。ボルト２６の軸部２７には、前方から座金２９が外嵌され、更にナット３２が螺合されている。図３に示すように、この座金２９の後面（第１締付部１２Ｆの外面との対向面）は、押圧部３０となっている。
【００３５】
座金２９は、軸部２７に貫通される中心孔３１を有するという点では周知の形態である。これに対し、図１に示すように、座金２９の外形は、不等脚台形である。座金２９の上縁と下縁は互いに平行であるが、座金２９の右縁と左縁は平行ではない。つまり、座金２９の左縁は、上縁及び下縁に対して直角であるのに対し、右縁は、上縁及び下縁に対して斜めであり、第１折り目１４Ｆとほぼ平行をなしている。また、座金２９の上縁は、第１締付部１２Ｆの上縁のストッパ３３Ｆに係止され、この係止作用により、座金２９は、その右縁を第１折り目１４Ｆに接近して沿わせた状態で、両締付部１２Ｆ，１２Ｒに対して回転規制されている。
【００３６】
次に、本実施形態の作用を説明する。バッテリーターミナルＴをバッテリポストＰに取り付ける際には、弧状保持部１１をバッテリポストＰに上から被せて、バッテリＢの上面に載置させ、その状態からナット３２を回転させて締め付ける。すると、ボルト２６の頭部２８が第２締付部１２Ｒの外面に対して面当たり状態で当接するとともに、座金２９の押圧部３０が第１締付部１２Ｆの外面に対して面当たり状態で当接し、双方の当接作用により、両締付部１２Ｆ，１２Ｒが次第に接近し、それに伴って弧状保持部１１が縮径変形し、弧状保持部１１の内周面がバッテリポストＰの外周に対して導通可能に密着される。
【００３７】
図１に示すように、弧状保持部１１をバッテリＢの上面に当接させて、バッテリーターミナルＴをバッテリポストＰに正しく取り付けた状態では、弧状保持部１１の上縁のうち低い縁部１８においてはバッテリポストＰの上端部が露出するので、作業者は、この露出状態を目視することにより、バッテリーターミナルＴが正しく取り付けられていることを確認できる。
【００３８】
また、弧状保持部１１のうち第１高縁部１７Ｆと対応する領域は、低い縁部１８と対応する領域に比べるとバッテリポストＰとの接触面積が大きくなっている。そして、両締付部１２Ｆ，１２Ｒを接近させて弧状保持部１１を縮径変形させたときには、弧状保持部１１からバッテリポストＰへの押圧力が、周方向において均一にはならず、弧状保持部１１の周方向における両端部と中央部において高くなるという点に着目し、この接触面積の大きい第１高縁部１７Ｆを弧状保持部１１の一方の端部に配置している。これにより、バッテリポストＰに対する弧状保持部１１の保持力が高められている。
【００３９】
また、一対の締付部１２Ｆ，１２Ｒを接近させたときに、弧状保持部１１の縮径変形の仕方は、第１段差部２０ＦからバッテリポストＰの軸線方向に延ばした第１仮想境界線２１Ｆを境として異なる。つまり、第１仮想境界線２１Ｆよりも第１締付部１２Ｆから遠い中央側の領域では、バッテリポストＰに対する弧状保持部１１の密着度が低いのに対し、第１仮想境界線２１Ｆよりも第１締付部１２Ｆに近い端部側の領域では、バッテリポストＰに対する弧状保持部１１の密着度が高い。
【００４０】
この点に着目し、本実施形態では、第１高縁部１７Ｆの周方向における両端部のうち第１締付部１２Ｆから遠い側の端部を、第１仮想境界線２１Ｆ（第１段差部２０Ｆ）と対応するように位置させ、第１仮想境界線２１Ｆを境とする弧状保持部１１の変形形態が、より明確に異なるようにした。これにより、第１仮想境界線２１Ｆよりも端部側の領域では、バッテリポストＰに対する弧状保持部１１の密着度がより高まるだけでなく、第１仮想境界線２１Ｆの近傍においても弧状保持部１１がバッテリポストＰに対して確実に密着するので、弧状保持部１１とバッテリポストＰとの間の接触面積が拡大し、弧状保持部１１は高い保持力を発揮する。
【００４１】
また、弧状保持部１１の下縁のうち低い縁部１８と対応する領域の全体を切欠することによって第１段差部２０Ｆを形成した場合には、弧状保持部１１の下縁のうちバッテリＢの上面に当接する領域が狭くなるので、弧状保持部１１の姿勢が不安定になることが懸念される。
【００４２】
これに対し本実施形態では、第１段差部２０Ｆと第２段差部２０Ｒが、弧状保持部１１の下縁を局部的に凹ませた形態となっているので、弧状保持部１１の下縁のうち低い縁部１８と対応する領域の一部も、バッテリＢの上面に当接することになる。これにより、バッテリＢの上面と弧状保持部１１の下縁との当接範囲が広くなるので、弧状保持部１１の姿勢が安定する。
【００４３】
また、弧状保持部１１の周方向の端部には、第１締付部１２Ｆとの境界となる第１折り目１４Ｆが、弧状保持部１１の軸線と平行な第１仮想軸線１５Ｆに対して斜め方向に形成され、第１締付部１２Ｆにおける弧状保持部１１との境界部の上縁には、第１折り目１４Ｆの上端に連なる第１切欠部２２Ｆが形成されている。そして、本実施形態では、第１高縁部１７Ｆの周方向における両端部のうち第１締付部１２Ｆに近い側の端部が、第１切欠部２２Ｆに臨む位置に配されている。この構成によれば、第１高縁部の端部を第１切欠部から離して位置させたものに比べると、第１切欠部２２Ｆの底縁の高さを高く設定できる。第１切欠部２２Ｆの底縁を高くするということは、弧状保持部１１の軸線方向における第１締付部１２Ｆの高さ寸法を大きくできることを意味するので、第１締付部１２Ｆの強度向上を図ることができる。
【００４４】
また、一対の締付部１２Ｆ，１２Ｒを接近させる手段として、一対の締付部１２Ｆ，１２Ｒにおける互いに非対向となる外面を押圧する押圧部３０を備えた締付け部材２５が設けられ、弧状保持部１１と第１締付部１２Ｆとの境界には、弧状保持部１１の軸線と平行な第１仮想軸線１５Ｆに対して傾斜した第１折り目１４Ｆが形成され、第１締付部１２Ｆの外面における押圧部３０の押圧領域は、第１折り目１４Ｆに沿う領域を含む範囲に亘っている。
【００４５】
この構成の技術的意義は、次のとおりである。本実施形態では、弧状保持部１１と第１締付部１２Ｆとの境界に形成されている第１折り目１４Ｆは、弧状保持部１１の軸線と平行な第１仮想軸線１５Ｆに対して傾斜しているので、弧状保持部１１の軸線と平行な折り目に比べると、第１締付部１２Ｆの外面の面積は傾斜している分だけ大きい。この点に着目し、締付け部材２５の押圧部３０を、第１折り目１４Ｆに沿った領域を含む広い範囲に亘って第１締付部１２Ｆの外面に押圧させるようにしているので、弧状保持部１１を縮径変形させる際に、第１締付部１２Ｆに変形が生じ難い。これにより、締付け部材２５による締付力が、第１締付部１２Ｆを介して効果的に弧状保持部１１に作用するので、弧状保持部１１を確実に縮径変形させることができる。
【００４６】
また、第２締付部１２Ｒにおける弧状保持部１１との境界部分には、その上縁を立ち上げた形態の第２高縁部１７Ｒを形成し、第２締付部１２Ｒの高さ寸法を拡大しているので、弧状保持部１１を縮径変形させる際に、第２締付部１２Ｒに変形が生じ難くなっている。これにより、締付け部材２５による締付力が、第２締付部１２Ｒを介して効果的に弧状保持部１１に作用するので、弧状保持部１１を確実に縮径変形させることができる。
【００４７】
＜他の実施形態＞
本発明は上記記述及び図面によって説明した実施形態に限定されるものではなく、例えば次のような実施形態も本発明の技術的範囲に含まれる。
（１）上記実施形態では、高い縁部（第１高縁部）を弧状保持部の周方向における一方の端部のみに形成したが、高い縁部は、弧状保持部の一方の端部だけでなく、両端部に形成してもよく、また、弧状保持部の周方向における中央部にも形成することができる。この周方向における中央部は、一対の締付部を接近させて弧状保持部を縮径変形させたときに、バッテリポストに対する押圧力が強くなる部分である。したがって、周方向における中央部にも高い縁部を形成することにより、バッテリポストに対する保持力を更に高めることができる。
（２）上記実施形態では、弧状保持部の下縁に、周方向における高い縁部（第１高縁部）の両端部のうち第１締付部から遠い側の端部と対応する段差部を形成したが、このような段差部を形成しない形態としてもよい。
（３）上記実施形態では、段差部を形成する手段として、弧状保持部の下縁を局部的に凹ませた形態としたが、下縁のうち低い縁部と対応する領域の全体を切欠した形態としてもよい。この場合、弧状保持部の下縁のうちバッテリの上面に当接するのは、高い縁部と対応する領域、即ち段差部（仮想境界線）よりも端部側（締付部に近い側）の領域だけとなる。
（４）上記実施形態では、弧状保持部と締付部との境界となる折り目が、弧状保持部の軸線と平行な仮想軸線に対して斜め方向となるようにしたが、本発明は、弧状保持部と締付部との境界となる折り目が、弧状保持部の軸線と平行な方向となる場合にも適用できる。
（５）上記実施形態では、高い縁部（第１高縁部）の周方向における両端部のうち第１締付部に近い側の端部が、第１折り目に連なる第１切欠部に臨むように位置させたが、高い縁部（第１高縁部）の周方向における両端部のうち第１締付部に近い側の端部が、第１折り目から離れた位置する構成としてもよい。
（６）上記実施形態では、第１締付部の外面における押圧部の押圧領域を、第１折り目に沿う領域を含む範囲に亘る広い範囲としたが、押圧部の押圧領域は、第１折り目から離れた領域内に限られていてもよい。
【符号の説明】
【００４８】
Ｂ…バッテリ
Ｐ…バッテリポスト
Ｔ…バッテリーターミナル
１１…弧状保持部
１２Ｆ…第１締付部
１２Ｒ…第２締付部
１４Ｆ…第１折り目
１５Ｆ…第１仮想軸線
１７Ｆ…第１高縁部（高い縁部）
１８…低い縁部
２０Ｆ…第１段差部
２２Ｆ…第１切欠部
２５…締付け部材
３０…押圧部
【図１】
0005560678.tif 000002
【図２】
0005560678.tif 000003
【図３】
0005560678.tif 000004
【図４】
0005560678.tif 000005
【図５】
0005560678.tif 000006
【図６】
0005560678.tif 000007
【図７】
0005560678.tif 000008
【図８】
0005560678.tif 000009